(57)【要約】      （修正有）【課題】収納用のボックスを安定してスムーズに移動させることが可能であり、また、家庭の押入れ内等の小さなスペースでも設置可能で、取付も容易で、且つ利用者が簡単に安全に取り扱うことができる回転収納装置を提供する。【解決手段】下部外レール４と、下部内レール３と、上部レールと、これらのレールに沿って移動する複数のボックス５と、各ボックス５の天井板の上面に上部ガイドローラーと、各ボックス５の底板の下面に下部ガイドローラーとを設ける。【選択図】図１
0003187321.tif 000002
【実用新案登録請求の範囲】
【請求項１】
環状の下部外レール（４）と、
前記下部外レール（４）の内側に設けられた、前記下部外レール（４）よりも小さい環状の下部内レール（３）と、
前記下部外レール（４）及び下部内レール（３）の上方に設けられた、前記下部外レール（４）よりも小さく、前記下部内レール（３）よりも大きい環状の上部レール（２）と、
前記下部外レール（４）及び下部内レール（３）の上方に設けられた、一対のスプロケット（１２）と、
前記スプロケット（１２）に掛架されたチェーン（１４）と、
前記チェーン（１４）と連結しており、また前記下部外レール（４）及び下部内レール（３）と、上部レール（２）との間に位置し、これらのレールに沿って環状に移動する複数のボックス（５）と、
前記各ボックス（５）の天井板の上面に、前記上部レール（２）に沿って走行するように設けられた上部ガイドローラー（６）と、
前記各ボックス（５）の底板の下面に、前記下部外レール（４）及び下部内レール（３）にそれぞれ沿って走行するように設けられた、少なくとも２つの下部ガイドローラー（７）と、
を備えることを特徴とする回転収納装置。
【請求項２】
前記上部ガイドローラー（６）及び下部ガイドローラー（７）が、それぞれスライドローラー（９）及びスライドローラーブラケット（１０）を介して前記ボックス（５）に取り付けられており、前記上部ガイドローラー（６）及び下部ガイドローラー（７）は、前記スライドローラー（９）の回転に伴い垂直方向を軸にして回転可能であることを特徴とする請求項１に記載の回転収納装置。
【請求項３】
前記スライドローラー（９）が前記スライドローラーブラケット（１０）の長手方向に摺動可能であり、前記上部ガイドローラー（６）及び下部ガイドローラー（７）が該摺動に伴い、前記スライドローラーブラケット（１０）の長手方向に移動可能であることを特徴とする請求項２に記載の回転収納装置。
【請求項４】
前記上部ガイドローラー（６）が、前記ボックス（５）の天井板上面の前記ボックス（５）の移動方向に平行する中心線上に直列に２個設けられており、
前記下部ガイドローラー（７）が、前記ボックス（５）の底板の前記ボックス（５）の移動方向外側辺に近接し、該辺に平行する前記底板下面の直線上に直列に２個、及び前記ボックス（５）の底板の前記ボックス（５）の移動方向内側辺に近接し、該辺に平行する前記底板下面の直線の中心に１個設けられていることを特徴とする請求項１、２又は３のいずれかに記載の回転収納装置。
【請求項５】
前記上部ガイドローラー（６）のスライドローラーブラケット（１０）が、その長手方向が前記ボックス（５）の移動方向に平行するように設けられており、
前記下部ガイドローラー（７）のうち、前記ボックス（５）の底板の前記ボックス（５）の移動方向外側辺に近接し、該辺に平行する前記底板下面の直線上に直列に２個設けられた下部ガイドローラー（７）のスライドローラーブラケット（１０）が、それらの長手方向が前記ボックス（５）の移動方向に平行するように設けられており、
前記下部ガイドローラー（７）のうち、前記ボックス（５）の底板の前記ボックス（５）の移動方向内側辺に近接し、該辺に平行する前記底板下面の直線の中心に１個設けられた下部ガイドローラー（７）のスライドローラーブラケット（１０）が、その長手方向が前記ボックス（５）の移動方向に直交するように設けられていることを特徴とする請求項４に記載の回転収納装置。
【請求項６】
前記下部外レール（４）、下部内レール（３）及び上部レール（２）が角丸長方形であり、これらのレールの角丸長方形の半円形部分及び該半円形に隣接する直線部分の一定部位のレール幅が、角丸長方形の直線部分のその他の部位のレール幅よりも小さいことを特徴とする請求項１乃至５のいずれかに記載の回転収納装置。
【考案の詳細な説明】
【技術分野】
【０００１】
本考案は、複数個の収納用ボックスが環状のレールに沿って移動する、回転収納装置に関する。
【背景技術】
【０００２】
従来より、押入れやたんす等の収納家具の奥の方に物を出し入れする面倒の回避や収納物の整理整頓のために、回転収納装置が提案されている。
【０００３】
例えば、特許文献１は、環状の上レールの下方に上レールに沿って複数個の吊り下げ枠を配置すると共に複数個の吊り下げ枠を回転自在に連結し、上レールに走行自在に取り付けた複数個のランナーに上記吊り下げ枠を回転自在に吊り下げた回転収納装置を開示している。
【先行技術文献】
【特許文献】
【０００４】
【特許文献１】実開昭６３−９５８３４号公報
【考案の概要】
【考案が解決しようとする課題】
【０００５】
上述した従来の回転収納装置において、吊り下げ枠は、その上端にて、上レールに取り付けられたランナーに吊り下げられており、またその下端には、ガイド部材が設けられ、下ガイドに沿ってガイドされるように構成されている。しかしながら、このような従来の回転収納装置では、吊り下げ枠を安定してスムーズに移動させることはできない。
【０００６】
そこで、本考案は、収納用のボックスを安定してスムーズに移動させることが可能な回転収納装置を提供することを目的とする。また、家庭の押入れ内等の小さなスペースにも設置でき、より多くの物を収納可能で、取付も容易で、且つ利用者が簡単に安全に取り扱うことができる回転収納装置を提供することである。
【課題を解決するための手段】
【０００７】
上記目的を達成するために、本考案の回転収納装置は、環状の下部外レール（４）と、前記下部外レール（４）の内側に設けられた、前記下部外レール（４）よりも小さい環状の下部内レール（３）と、前記下部外レール（４）及び下部内レール（３）の上方に設けられた、前記下部外レール（４）よりも小さく、前記下部内レール（３）よりも大きい環状の上部レール（２）と、前記下部外レール（４）及び下部内レール（３）の上方に設けられた、一対のスプロケット（１２）と、前記スプロケット（１２）に掛架されたチェーン（１４）と、前記チェーン（１４）と連結しており、また前記下部外レール（４）及び下部内レール（３）と、上部レール（２）との間に位置し、これらのレールに沿って環状に移動する複数のボックス（５）と、前記各ボックス（５）の天井板の上面に、前記上部レール（２）に沿って走行するように設けられた上部ガイドローラー（６）と、前記各ボックス（５）の底板の下面に、前記下部外レール（４）及び下部内レール（３）のそれぞれに沿って走行するように設けられた、少なくとも２つの下部ガイドローラー（７）と、を備えることを特徴とする。
【０００８】
本考案の回転収納装置は、好ましくは、前記上部ガイドローラー（６）及び下部ガイドローラー（７）が、それぞれスライドローラー（９）及びスライドローラーブラケット（１０）を介して前記ボックス（５）に取り付けられており、前記上部ガイドローラー（６）及び下部ガイドローラー（７）は、前記スライドローラー（９）の回転に伴い垂直方向を軸にして回転可能であることを特徴とする。
【０００９】
本考案の回転収納装置は、好ましくは、前記スライドローラー（９）が前記スライドローラーブラケット（１０）の長手方向に摺動可能であり、前記上部ガイドローラー（６）及び下部ガイドローラー（７）が該摺動に伴い、前記スライドローラーブラケット（１０）の長手方向に移動可能であることを特徴とする。
【００１０】
本考案の回転収納装置は、好ましくは、前記上部ガイドローラー（６）が、前記ボックス（５）の天井板上面の前記ボックス（５）の移動方向に平行する中心線上に直列に２個設けられており、前記下部ガイドローラー（７）が、前記ボックス（５）の底板の前記ボックス（５）の移動方向外側辺に近接し、該辺に平行する前記底板下面の直線上に直列に２個、及び前記ボックス（５）の底板の前記ボックス（５）の移動方向内側辺に近接し、該辺に平行する前記底板下面の直線の中心に１個設けられていることを特徴とする。
【００１１】
本考案の回転収納装置は、好ましくは、前記上部ガイドローラー（６）のスライドローラーブラケット（１０）が、その長手方向が前記ボックス（５）の移動方向に平行するように設けられており、前記下部ガイドローラー（７）のうち、前記ボックス（５）の底板の前記ボックス（５）の移動方向外側辺に近接し、該辺に平行する前記底板下面の直線上に直列に２個設けられた下部ガイドローラー（７）のスライドローラーブラケット（１０）が、それらの長手方向が前記ボックス（５）の移動方向に平行するように設けられており、前記下部ガイドローラー（７）のうち、前記ボックス（５）の底板の前記ボックス（５）の移動方向内側辺に近接し、該辺に平行する前記底板下面の直線の中心に１個設けられた下部ガイドローラー（７）のスライドローラーブラケット（１０）が、その長手方向が前記ボックス（５）の移動方向に直交するように設けられていることを特徴とする。
【００１２】
本考案の回転収納装置は、好ましくは、前記下部外レール（４）、下部内レール（３）及び上部レール（２）が角丸長方形であり、これらのレールの角丸長方形の半円形部分及び該半円形に隣接する直線部分の一定部位のレール幅が、角丸長方形の直線部分のその他の部位のレール幅よりも小さいことを特徴とする。
【考案の効果】
【００１３】
本考案によれば、回転収納装置について、収納用のボックスを安定してスムーズに移動させることが可能となり、また、家庭の押入れ内等の小さなスペースにも設置でき、より多くの物を収納可能で、取付も容易で、且つ利用者が簡単に安全に取り扱うことができるようになる。
【図面の簡単な説明】
【００１４】
【図１】図１は、本考案の回転収納装置の一例を示す平面図である。
【図２】図２は、本考案の回転収納装置の一例を示す正面図である。
【図３】図３は、本考案の回転収納装置の下部レールの一例を示す平面図である。
【図４】図４は、本考案の回転収納装置の上部レールの一例を示す平面図である。
【図５】図５は、図３及び図４におけるア部の拡大図である。
【図６】図６は、本考案の回転収納装置の上部の一例を示す平面図である。
【図７】図７は、本考案の回転収納装置の上部の一例を示す側面図である。
【図８】図８は、本考案の回転収納装置の下部の一例を示す平面図である。
【図９】図９は、本考案の回転収納装置の一例を示す側面図である。
【図１０】図１０は、本考案の回転収納装置のボックスの形態の例を示す図である。
【図１１】図１１（ａ）は、本考案の回転収納装置のボックスの一例を示す平面図である。  図１１（ｂ）は、本考案の回転収納装置のボックスの一例を示す正面図である。  図１１（ｃ）は、本考案の回転収納装置のボックスの一例を示す底面図である。
【図１２】図１２（ａ）は、本考案の回転収納装置の上部ガイドローラーの一例を示す平面図である。  図１２（ｂ）は、図１２（ａ）におけるイーイ断面図である。  図１２（ｃ）は、図１２（ａ）におけるローロ矢視図である。  図１２（ｄ）は、本考案の回転収納装置の上部ガイドローラーの一例を示す側面図である。  図１２（ｅ）は、図１２（ｄ）におけるハーハ断面図である。
【図１３】図１３は、本考案の回転収納装置のサポート部材の一例を示す平面図である。
【図１４】図１４は、本考案の回転収納装置のサポート部材の一例を示す側面図である。
【考案を実施するための形態】
【００１５】
以下に、本考案の実施形態に係る回転収納装置について図面を参照しながら説明する。なお、実施形態を説明する全図において、共通の構成要素には同一の符号を付し、繰り返しの説明を省略する。
【００１６】
図１及び図２は、本考案の実施形態に係る回転収納装置の全体の構成の一例を示すものである。
【００１７】
図１は、本考案の実施形態に係る回転収納装置の一例を示す平面図である。図１に示すように、回転収納装置は、下部外レール４と、下部内レール３と、上部レール２と、一対のスプロケット１２と、チェーン１４とを備えている。
【００１８】
図２は、本考案の実施形態に係る回転収納装置の一例を示す正面図である。図２に示すように、回転収納装置は、複数のボックス５と、上部ガイドローラー６と、下部ガイドローラー７とを備えている。
【００１９】
下部外レール４は、環状であるが、好ましくは、図３に示すように、平面視、角丸長方形である。尚、角丸長方形とは、本考案において、２つの等しい長さの平行線と、該平行線の両端に位置する２つの半円形からなる形状を意味する。
【００２０】
下部外レール４は、床面に設けられる。本実施形態では、例えば、図１に示すように、プラット１上に下部外レール４が設けられている。
【００２１】
下部内レール３も環状であるが、好ましくは、図３に示すように、角丸長方形である。下部内レール３は、下部外レール４よりも小さい環状に設けられている。
【００２２】
下部内レール３も床面に設けられる。本実施形態では、例えば、図１に示すように、プラット１上に下部内レール３が設けられている。尚、下部内レール３は、下部外レール４と同一面上に設けられている。また、下部内レール３は、図３に示すように、下部外レール４の内側に設けられている。
【００２３】
上部レール２も環状であるが、好ましくは、図４に示すように、角丸長方形である。上部レール２は、下部外レール４よりも小さく、下部内レール３よりも大きい環状に設けられている。
【００２４】
上部レール２は、下部外レール４及び下部内レール３の上方にて、これらのレールと平行に設けられている。上部レール２は、図１に示すように、平面視において、下部外レール４と下部内レール３との間の位置、即ち、下部外レール４の内側であって、下部内レール３の外側の位置に設けられている。
【００２５】
上部レール２は、任意のサポート部材によって支持されている。例えば、図１３及び図１４に示すように、上部レール２は、床面から逆Ｌ字状に立ち上がっている表裏サポート部材１５及び左右サポート部材１６によって支持されている。また、上部レール２は、上部レール２の角丸長方形の２本の平行線のそれぞれの中心点を結ぶように位置する短手サポート部材１８に支持されている。
【００２６】
下部外レール４、下部内レール３及び上部レール２について、図３乃至図５に示すように、これらのレールの角丸長方形の半円形部分及び該半円形に隣接する直線部分の一定部位のレール幅ｗが、角丸長方形の直線部分のその他の部位のレール幅Ｗよりも小さくなるよう設けることが望ましい。例えば、該半円形部分及び半円形に隣接する直線部分の一定部位のレール幅ｗが、直線部分のその他の部位のレール幅Ｗの約半分の大きさとなるように設けることが望ましい。特に、図５に示すように、角丸長方形の直線部分のその他の部位のレール幅Ｗから、半円形に隣接する直線部分の一定部位のレール幅ｗまでテーパー状に幅が小さくなるように設けることが望ましい。
こうすることにより、ボックス５がこれらのレールの直線部分の大半の部位を移動中は、上部ガイドローラー６及び下部ガイドローラー７は、直線部分のレール幅Ｗの大きい部位を走行するため、上部ガイドローラー６及び下部ガイドローラー７とレールとの間の遊間が小さく、ボックス５は揺動することなく、より安定してスムーズに移動し易くなる。これに対し、これらのレールの角丸長方形の半円形部分及び該半円形に隣接する直線部分の一定部位のレール幅ｗが小さいことから、上部ガイドローラー６及び下部ガイドローラー７と、レールとの間の遊間は大きくなり、ボックス５がレールの直線部分と比較して複雑な形状である半円形部分においても、より安定してスムーズに移動し易くなる。
【００２７】
一対のスプロケット１２と、スプロケット１２に掛架されたチェーン１４が下部外レール４及び下部内レール３の上方に設けられている。一対のスプロケット１２は、同一面上にて、それぞれ垂直方向を軸に回転するように設けられており、チェーン１４は、下部外レール４及び下部内レール３と平行する面でスプロケット１２間を移動する。図１に示すように、スプロケット１２のそれぞれは、平面視において、上部レール２の半円形部分の内側に設けられている。また、一対のスプロケット１２とこれらに掛架されたチェーン１４の輪郭は、略角丸長方形であり、該略角丸長方形は、下部外レール４及び下部内レール３と平行し、また該略角丸長方形は、平面視において、上部レール２と下部内レール３との間の位置、即ち、上部レール２の内側であって、下部内レール３の外側の位置に存在している。
【００２８】
スプロケット１２は、例えば、図６及び図７に示すように、それぞれ上方にスプロケットカバー１３を備えている。そして、スプロケット１２は、スプロケットカバー１３を介して、短手サポート部材１８と連結している長手サポート部材１７に支持されている。
【００２９】
上述したようにチェーン１４は、一対のスプロケット１２に掛架されている。また、後述するように、チェーン１４は、ボックス５と連結している。
【００３０】
尚、任意のモータ等を設けて、スプロケット１２を自動的に回転させ、チェーン１４及びこれに連結しているボックス５を自動的に移動させることも可能である。
本実施形態では、特にモータ等は設けていないため、手動にてボックス５を移動させる。利用者がボックス５を右方向又は左方向に動かすことにより、ボックス５を右回り又は左回りに移動させることができる。手動式にした方が、より容易且つ安価に回転収納装置を設置することが可能となり、また利用者においても、より簡単且つ安全に取り扱うことができる。
【００３１】
ボックス５は、図２に示すように、下部外レール４及び下部内レール３と、上部レール２との間に位置し、これらのレールに沿って環状に移動する。また、図８及び図９に示すように、正面側にあるボックス５と背面側にあるボックス５との間には僅かな間隙しかない。このようにボックス５（及び各レール）を配置することにより、小さなスペースでも本考案の回転収納装置を設置することが可能となるとともに、より多くの物を収納することができるようになる。
【００３２】
ボックス５の形状は、特に限定されるものではないが、図１及び図２等に示すように、一般的には直方体である。この直方体は、１枚の天井板と、１枚の底板と、４枚の側面板とを有する典型的な直方体に限らず、例えば、側面板のうち、正面の１枚、又は正面及び背面の２枚の側面板を欠くもの等も含む。
【００３３】
ボックス５の形態は様々なものが採用可能である。図１０は、ボックス５の形態の幾つかの例を示すものである。図１０の左側のボックス５は、正面の側面板を有さない直方体であり、その天井板にはハンガーピンが設けられており、これにハンガーを引っ掛けることができるようになっている。また、図１０の中央のボックス５も正面の側面板を有さない直方体であり、３枚の棚板によって、４つの棚が形成されている。さらに、図１０の右側のボックス５は、縦方向に３分割されており、それぞれ取っ手を有する３段の引出し形式の収納ボックスとなっている。
【００３４】
ボックス５の寸法も特に限定されるものではないが、本実施形態では、幅約４００ｍｍ、奥行き約３８０ｍｍ、高さ約１２００ｍｍとしている。
ボックス５の数も特に限定されるものではないが、本実施形態では図１及び図２に示すように８個のボックス５を設けている。上述した本実施形態のボックス５の寸法にて、ボックス５を８個設けることにより、本考案の回転収納装置を一般的な規格の押入れに設置することが可能となる。
【００３５】
ボックス５の材質についても特に限定されるものではないが、本実施形態のボックス５はプラスチック製である。
【００３６】
図６及び図１１に示すように、ボックス５の天井板の上面に、上部レール２に沿って走行するように、上部ガイドローラー６が設けられている。図１２に示すように、上部ガイドローラー６は、円盤状の車輪であり、円柱形状の中心部と、該中心部よりも直径の大きい２つの円柱形状（円盤状）の外側部とからなり、外側部が中心部を挟むように構成されている。そして、上部ガイドローラー６は、該外側部にて上部レール２を挟んで、水平方向を軸に（車輪が普通に回転するように）回転しながら上部レール２に沿って走行する。
【００３７】
本実施形態では、各ボックス５に上部ガイドローラー６が２個ずつ設けられている。より具体的には、図６及び図１１に示すように、２つの上部ガイドローラー６は、ボックス５の天井板の上面のボックス５の移動方向に平行する中心線上に直列に設けられている。尚、ここで中心線とは、矩形状の天井板の対向する各辺の中心点を結んだ直線である中心線のうち、ボックス５の移動方向に平行する線のことを意味する。
【００３８】
図８及び図１１に示すように、ボックス５の底板の下面に、下部外レール４及び下部内レール３にそれぞれ沿って走行するように、少なくとも２つの下部ガイドローラー７が設けられている。下部ガイドローラー７の構成は、上述した上部ガイドローラー６のそれと同様であり、下部ガイドローラー７は、その外側部にて、それぞれ下部外レール４又は下部内レール３を挟んで、水平方向を軸に回転しながら、これらの下部レールに沿って走行する。
【００３９】
本実施形態では、各ボックス５に下部ガイドローラー７が３個ずつ設けられている。より具体的には、図８及び図１１に示すように、３個の下部ガイドローラー７のうち、２個は、ボックス５の底板のボックス５の移動方向外側辺に近接し、該辺に平行する前記底板下面の直線上に直列に、及び他の１個は、ボックス５の底板のボックス５の移動方向内側辺に近接し、該辺に平行する前記底板下面の直線の中心に設けられている。
【００４０】
それぞれの上部ガイドローラー６及び下部ガイドローラー７は、それぞれのシャフトにてガイドローラーブラケット８と連結している。ガイドローラーブラケット８は、ベアリングを介してスライドローラー９と連結している。スライドローラー９は円盤状の車輪であり、垂直方向を軸に回転する。上部ガイドローラー６及び下部ガイドローラー７は、スライドローラー９の該回転に伴い垂直方向を軸にして回転可能である。よって、上部ガイドローラー６及び下部ガイドローラー７は、それぞれのシャフトを軸にして通常の車輪が回転するように回転するのに加えて、それぞれのシャフトに直交する方向を軸としても回転することができるようになっている。
【００４１】
図１２（ｄ）及び（ｅ）に示すように、円盤状であるスライドローラー９の周縁部は、断面視にて、Ｖ字状に凹んでいる。また、スライドローラーブラケット１０は、ボックス５の天井板の上面及び底板の下面に取り付けられており、断面視にて、リブ付きコ字状である。スライドローラー９のＶ字状凹部とスライドローラーブラケット１０のリブ付きコ字状が噛み合うように、両者は連結している。よって、上部ガイドローラー６及び下部ガイドローラー７は、ガイドローラーブラケット８、スライドローラー９及びスライドローラーブラケット１０を介してボックス５に取り付けられている。また、スライドローラー９は、スライドローラーブラケット１０に沿って、スライドローラーブラケット１０の長手方向に摺動可能となっている。
【００４２】
図６に示すように、上部ガイドローラー６に対応するスライドローラーブラケット１０は、その長手方向が上部レール２の角丸長方形の直線部分におけるボックス５の移動方向に平行するように設けられている。スライドローラー９は、スライドローラーブラケット１０の長手方向、即ち、ボックス５の移動方向の前後に摺動可能になっている。また、該スライドローラー９とガイドローラーブラケット８を介して連結している上部ガイドローラー６も該スライドローラー９の摺動に伴って、スライドローラーブラケット１０の長手方向、即ち、ボックス５の移動方向の前後に移動することができる。
【００４３】
また、図８に示すように、下部ガイドローラー７のうち、ボックス５の底板のボックス５の移動方向外側辺に近接し、該辺に平行する前記底板下面の直線上に直列に２個設けられた下部ガイドローラー７に対応するスライドローラーブラケット１０は、その長手方向が下部外レール４及び下部内レール３の角丸長方形の直線部分におけるボックス５の移動方向に平行するように設けられている。スライドローラー９は、該スライドローラーブラケット１０の長手方向、即ち、ボックス５の移動方向の前後に摺動可能になっている。また、該スライドローラー９とガイドローラーブラケット８を介して連結している下部ガイドローラー７も該スライドローラー９の摺動に伴って、該スライドローラーブラケット１０の長手方向、即ち、ボックス５の移動方向の前後に移動することができる。
【００４４】
また、下部ガイドローラー７のうち、ボックス５の底板のボックス５の移動方向内側辺に近接し、該辺に平行する前記底板下面の直線の中心に１個設けられた下部ガイドローラー７に対応するスライドローラーブラケット１０は、その長手方向が下部外レール４及び下部内レール３の角丸長方形の直線部分におけるボックス５の移動方向に直交するように設けられている。スライドローラー９は、該スライドローラーブラケット１０の長手方向、即ち、ボックス５の移動方向に直交する方向の前後に摺動可能になっている。また、該スライドローラー９とガイドローラーブラケット８を介して連結している下部ガイドローラー７も該スライドローラー９の摺動に伴って、該スライドローラーブラケット１０の長手方向、即ち、ボックス５の移動方向に直交する方向の前後に移動することができる。
【００４５】
上述の通り、上部ガイドローラー６及び下部ガイドローラー７は、通常の車輪が回転するように回転する。即ち、それぞれ、各下部外レール４、下部内レール３及び上部レール２に沿って、水平方向を軸にして回転する。
また、上部ガイドローラー６及び下部ガイドローラー７は、スライドローラー９の回転に伴って、垂直方向を軸にして３６０°回転可能になっている。
さらに、上部ガイドローラー６及び下部ガイドローラー７は、スライドローラー９がスライドローラーブラケット１０の長手方向に摺動するのに伴って、スライドローラーブラケット１０の長手方向の前後に移動することができる。
【００４６】
上部ガイドローラー６及び下部ガイドローラー７がこのように回転及び移動することにより、ボックス５をより安定してスムーズに、且つ小さなスペースでも環状に移動させることが容易に可能となる。
【００４７】
図１２に示すように、上部ガイドローラー６用のスライドローラーブラケット１０には、チェーン止めブラケット１１が取り付けられている。そして、図６に示すように、ボックス５は、上部ガイドローラー６のチェーン止めブラケット１１を介して、チェーン１４と連結している。従って、ボックス５は、チェーン１４の一対のスプロケット１２間での回行に連動して移動する。これにより、ボックス５は、安定してスムーズに各レールに沿って移動することができるようになる。
【００４８】
尚、図１２は、上部ガイドローラー６及びその周辺の部材を示しているが、下部ガイドローラー７及びその周辺の部材は、チェーン止めブラケット１１を備えていない点を除いて、上部ガイドローラー６及びその周辺の部材と同様の構成を有している。
【００４９】
上述したように、本考案によれば、回転収納装置について、収納用のボックスを安定してスムーズに移動させることが可能となり、また、家庭の押入れ内等の小さなスペースにも設置でき、より多くの物を収納可能で、取付も容易で、且つ利用者が簡単に安全に取り扱うことができる。
【符号の説明】
【００５０】
１    プラット
２    上部レール
３    下部内レール
４    下部外レール
５    ボックス
６    上部ガイドローラー
７    下部ガイドローラー
８    ガイドローラーブラケット
９    スライドローラー
１０  スライドローラーブラケット
１１  チェーン止めブラケット
１２  スプロケット
１３  スプロケットカバー
１４  チェーン
１５  表裏サポート部材
１６  左右サポート部材
１７  長手サポート部材
１８  短手サポート部材
【図１】
0003187321.tif 000003
【図２】
0003187321.tif 000004
【図３】
0003187321.tif 000005
【図４】
0003187321.tif 000006
【図５】
0003187321.tif 000007
【図６】
0003187321.tif 000008
【図７】
0003187321.tif 000009
【図８】
0003187321.tif 000010
【図９】
0003187321.tif 000011
【図１０】
0003187321.tif 000012
【図１１】
0003187321.tif 000013
【図１２】
0003187321.tif 000014
【図１３】
0003187321.tif 000015
【図１４】
0003187321.tif 000016